(57)【要約】【課題】人目について、高い宣伝効果を期待することができ、折り畳んでも、折り目がのこらず、使用した後は、タオルとしても使用することができ、また背の高い人でも、顔や目を傷めたりするおそれのない、安全で、省資源に貢献しうる車内吊りポスターを提供する。【解決手段】車内吊りポスターとしてふさわしい大きさを有するタオル地に、印刷あるいは刺繍で、広告表示を施す。【選択図】　　　　図１
2004054136.tif 000002
【特許請求の範囲】
【請求項１】
車内吊りポスターとしてふさわしい大きさを有するタオル地に、広告表示を施したことを特徴とするタオル地による車内吊りポスター。
【請求項２】
上辺に吊支帯体を連設したことを特徴とする請求項１に記載のタオル地による車内吊りポスター。
【請求項３】
左右辺に折返し部を連設したことを特徴とする請求項１又は２に記載のタオル地による車内吊りポスター。
【請求項４】
タオル地におけるループのうち、少なくとも一部のループについて、その先端部のみにインクが付着するように印刷して、広告表示をしてなる請求項１〜３のいずれかに記載のタオル地による車内吊りポスター。
【発明の詳細な説明】
【０００１】
【発明の属する技術分野】
本発明は、タオル地による車内吊りポスターに関する。
【０００２】
【従来の技術】
車内吊りポスターは、通常、アート紙やプラスチックフィルム等をもって作成されている。
【０００３】
しかし、このようなポスターには、次のような問題がある。
ａ）見る人の角度により、反射するため、ポスターの内容をよく視認することができないことがある。
【０００４】
ｂ）持ち運び等のために折ると、折り目が残るため、見苦しくなってしまう。
【０００５】
ｃ）ポスターとしての使用後は、ゴミとして廃棄されてしまうことが多い。
【０００６】
ｄ）背の高い人や帽子が、ポスターに触れると煩わしく、また、ポスターの角部が、人の顔や目に当たって、傷付けたりうるおそれがある。
【０００７】
【発明が解決しようとする課題】
本発明は、前記の問題に対処するべくなされたもので、車内吊りポスターをタオル地で作成することにより、反射せず、折り畳んでも、折り目がのこらず、またポスターとして使用した後は、タオルとして使用することができ、さらに、背の高い人でも、顔や目を傷めたりすることのない、安全で、省資源に貢献しうる車内吊りポスターを提供することを目的としている。
【０００８】
【課題を解決するための手段】
本発明によると上記課題は、次のようにして解決される。
（１）　車内吊りポスターとしてふさわしい大きさを有するタオル地に、広告表示を施す。
【０００９】
（２）（１）項において、上辺に吊支帯体を連設する。
【００１０】
（３）（１）項または（２）項において、左右辺に折返し部を連設する。
【００１１】
（４）（１）〜（３）項のいずれかにおいて、タオル地におけるループのうち、少なくとも一部のループについて、その先端部のみにインクが付着するように印刷して、広告表示をする。
【００１２】
【発明の実施の形態】
図１は、本発明のタオル地による車内吊りポスターを、挾支杆（Ａ）に取付けた状態を示す斜視図である。
【００１３】
図２は、本発明のタオル地による車内吊りポスターの正面図である。
【００１４】
本発明のタオル地による車内吊りポスター（１）は、車内吊りポスターとしてふさわしい大きさを有するタオル地（２）に、織り込み、印刷、あるいは刺繍等によって、広告表示（３）を施したものである。
【００１５】
タオル地（２）の上辺（４）には紙製、布製あるいは樹脂製の吊支帯体（５）が縫い込みあるいは接着剤により、連設されている。
【００１６】
またタオル地（２）の左右辺のそれぞれには、折返し部（６）が設けられている。
【００１７】
挾支杆（Ａ）は、互いに平行をなす２本の杆体の対向面を適宜開閉しうるようにした公知のもので、これに本発明の車内吊りポスター（１）を取り付けるには、タオル地（２）の上辺（４）に連設した吊支帯体（５）を挾んで保持させればよい。
【００１８】
この際、挾支杆（Ａ）に、吊支帯体（５）のみが挾み込まれて保持されるので、車内吊りポスター（１）の厚みにより、挾支杆（Ａ）に挟めないということはない。
【００１９】
また、タオル地（２）の左右の折返し部（６）は、車内吊りポスター（１）を垂直に保たせるための錘りの役割を果たしている。
【００２０】
アート紙やプラスチックシートのポスターは、表面に光沢を有するため、見る角度によっては、表面が反射して、視認が困難になる場合がある。
【００２１】
しかし、本発明によると、多数のループが存在するために、奥行きがあるとともに表面が平滑ではなく、かつ可撓性のあるタオル地（２）に、織り込み、刺繍、印刷等で広告表示（３）をしてあるため、光線は吸収されるか、もしくは乱反射し、見る角度によって視認不能もしくは困難になることはない。
【００２２】
図３は、　広告表示（３）を印刷で行った場合におけるタオル地（２）の拡大断面図であるが、印刷により、タオル地（２）のループ（７）の先端部（８）のみにインク（９）を付着させ、ループ（７）の基部（１０）には、インク（９）が付着しないようにすると、ループ（７）の基部（１０）部分は、地の色が残る。
【００２３】
また、各ループ（７）へのインク（９）の付着の度合いがそれぞれ異ならせることもできる。このようにすることによりタオル地の各ループ（７）の奥行き長さが異なるので、それに伴い、色の濃淡を出させたり、ぼやけた表現をさせることが可能となる。
【００２４】
また、タオル地（２）のループ（７）は、風や振動によって、始終動くので、広告表示（３）に変化を生じさせるとともに、看者の眼を強く惹くこととなり、宣伝広告効果は増大する。
【００２５】
【発明の効果】
▲１▼　請求項１記載の発明によれば、次のような効果が奏せられる。
【００２６】
（ａ）従来の車内吊りポスターは、殆んどが紙製であり、タオル生地の車内吊りポスターは従来無かったので、その意外性と斬新性の故に、人目をひき、宣伝効果の増大を図ることが出来る。
【００２７】
（ｂ）ポスターとしての使用後は、タオルとして利用でき、ゴミとならないので、省資源、環境対策に資することができる。
【００２８】
（ｃ）折りたたんで持ち運んでも、折り目が残ることはない。
【００２９】
（ｄ）車内吊りポスターとして使用する際、背の高い人が，ポスターの角部で顔や目を擦ったり，傷めたりすることはない。
【００３０】
（ｅ）車内吊りポスターのしての使用後は、デパート、スーパー、小売り店舗等で、デイスプレイとして再利用できる。
【００３１】
▲２▼　請求項２記載の発明によれば、厚みのあるタオル地によって形成された車内吊りポスターでも、従来の挾支杆で保持することができる。
【００３２】
▲３▼　請求項３記載の発明によれば、車内の空調による風や振動等があっても車内吊りポスターを垂直に保つことができる。
【００３３】
▲４▼　請求項４記載の発明によれば、色の濃淡やぼやけが生じ、幻想的な表現をさせることができ、注目を容易に集めて、宣伝広告効果を高めることができる。
【図面の簡単な説明】
【図１】本発明のタオル地による車内吊りポスターを取付具に取り付けた状態を示す正面図である。
【図２】本発明のタオル地による車内吊りポスターの平面図である。
【図３】本発明のタオル地に、印刷により広告表示をした場合の拡大断面図である。
【符号の説明】
（１）タオル地による車内吊りポスター
（２）タオル地
（３）広告表示
（４）上辺
（５）吊支帯体
（６）折返し部
（７）ループ
（８）先端部
（９）インク
（１０）基部
（Ａ）挾支杆
【図１】
2004054136.tif 000003
【図２】
2004054136.tif 000004
【図３】
2004054136.tif 000005